(57)【要約】【課題】  バッテリカバーと収納されたバッテリの間には指を挿入する空間が小さく、バッテリの着脱が困難である。また、操作性を向上させる為に、バッテリカバーと収納されたバッテリの間に指を挿入する空間となる凹部を設けてバッテリの着脱操作を行うためのスペースを作り出す必要がある。その際には、電子機器は大型化となる。【解決手段】  バッテリが着脱可能に装着される電子機器であって、バッテリを覆う軸を有し、回転することにより開閉動作を行う蓋部材と蓋部材の軸と軸に挟まれる端部を切欠いたことを特徴とする。【選択図】  図９
2015185395.tif 000002
【特許請求の範囲】
【請求項１】
バッテリが着脱可能に装着される電子機器であって、
バッテリを覆う軸を有し、回転することにより開閉動作を行う蓋部材と
蓋部材の軸と軸に挟まれる端部を切欠いたことを特徴とする電子機器。
【発明の詳細な説明】
【技術分野】
【０００１】
本発明は、バッテリの着脱が可能な電子機器、及び該電子機器に関する。
【背景技術】
【０００２】
従来技術における電子機器の概略斜視図を図１０に示す。従来、電子機器１０１においては、電力を供給する為にプラグが挿入される電源ジャックコネクタ１０２が配置されている。また、携帯性の観点から電力を供給する為に、バッテリ駆動することが一般的である。このため機器本体１０１にはバッテリを収容するバッテリ収容部と、バッテリ収容部を覆う蓋１０３とが配設されており、通常は蓋閉状態で撮影等の操作が行われる。
【０００３】
電源ジャックコネクタ１０２は、プラグを挿入することにより充電を行いながら使用することができる。その為、電源ジャックコネクタ１０２は電子機器１０１を把持した際に、プラグにより操作性を損なわない位置に配置することが一般的であり、バッテリ収容部を覆う蓋１０３は外観上目立たないカメラの底面に配置されることが一般的である。上記構成に類似する構成は、特許文献１に開示されている。
【０００４】
図１１に、従来技術におけるバッテリの着脱が可能な電子機器の構造を、ビデオカメラに適用した例を示す。構造は特許文献１と同様に機器本体１１１にはバッテリ１１２を収容するバッテリ収容部１１３と、バッテリ収容部１１３を覆う蓋１１４とが配設されており、上記蓋開状態において、使用者が指や爪を挿入部１１５に挿入し、バッテリ１１２を図１１に示すＢｒ方向（離脱方向）へ持ち上げることで図示しない弾性部材による付勢は解除され、バッテリ１１２をバッテリ収容部１１３から離脱させることができる。
【先行技術文献】
【特許文献】
【０００５】
【特許文献１】特開２０１１−１２９７８３号公報
【発明の概要】
【発明が解決しようとする課題】
【０００６】
しかしながら、上述の背景技術では、バッテリカバーと収納されたバッテリの間には指を挿入する空間が小さく、バッテリの着脱が困難である。また、操作性を向上させる為に、バッテリカバーと収納されたバッテリの間に指を挿入する空間となる凹部を設けてバッテリの着脱操作を行うためのスペースを作り出す必要がある。その際には、電子機器は大型化となる。
【０００７】
本発明は、上記問題を解決するためのものであり、バッテリカバーの形状を工夫することで、電子機器を大型化することなく小型化を可能として、バッテリの着脱を容易にすることができる電子機器を提供することを目的とする。
【課題を解決するための手段】
【０００８】
本発明の電子機器は、
バッテリが着脱可能に装着される電子機器であって、
バッテリを覆う軸を有し、回転することにより開閉動作を行う蓋部材と
蓋部材の軸と軸に挟まれる端部を切欠いたことを特徴とする。
【発明の効果】
【０００９】
本発明によれば、バッテリカバーの形状を工夫することで、電子機器を大型化することなく小型化を可能として、バッテリの着脱を容易にすることが可能となる。
【図面の簡単な説明】
【００１０】
【図１】本発明の実施形態におけるビデオカメラの上面側からみた斜視図である。
【図２】本発明の実施形態におけるビデオカメラの底面側からみた図である。
【図３】本実施形態におけるビデオカメラの蓋開状態を下面側から見た図である。
【図４】図２の蓋開状態のＡ−Ａ線に沿う断面図である。
【図５】図４の蓋回転機構についての拡大図である。
【図６】図２の蓋閉状態のＡ−Ａ線に沿う断面図である。
【図７】図２の蓋閉状態のＢ−Ｂ線に沿う断面図を示し、ロック形状についての拡大図である。
【図８】図２のＢ−Ｂ線に沿う断面図である。
【図９】本発明の実施形態におけるビデオカメラの蓋開状態の底面側からみた斜視図である。
【図１０】従来技術における電子機器の概略斜視図である。
【図１１】従来技術におけるバッテリの着脱が可能な電子機器の構造を、ビデオカメラに適用した斜視図である。
【発明を実施するための形態】
【００１１】
以下、本発明を実施するための形態を図面に基づいて説明する。
【００１２】
先ずここで、図１〜図４により本実施形態に係るビデオカメラの全体構成について説明する。図１は、本実施形態におけるビデオカメラを上面側から見た外観を示す斜視図であり、図２は、本実施形態におけるビデオカメラを下面側から見た外観を示す図である。図３は、本実施形態におけるビデオカメラの蓋開状態を下面側から見た図である。図４は図２の蓋開状態のＡ−Ａ線に沿う断面図である。
【００１３】
図において、１は機器本体、この例ではビデオカメラの本体、２は撮影を行うためのレンズ部、３は記録中の画像を表示するための表示部、４はビデオカメラの電源スイッチ、４ａは画角を調整するためのズームレバー、５は記録を開始するためのトリガーボタンである。６はレンズ部２の光軸先端側からみて本体１の右側面を覆う外装部品であるＲカバー、７は左側面を覆うＬカバー、８は底面を覆うボトムカバーである。８ａは本体１に設けられた、バッテリ９を収容するためのバッテリ収容部である。また、三脚を取り付けるための取付部材１０はバッテリ収容部８ａの壁の一部を構成しており、図示しないメイン基板と電気的に接続されるバッテリ端子１１はボトムカバー８に取り付けられている。
【００１４】
１２はバッテリ収容部８ａを開閉自在に覆うバッテリカバーである。後述するようにバッテリカバー１２はその回転軸１２ａのまわりに回動することで開閉可能に構成されている。
【００１５】
以上のような構成からなるビデオカメラにおいて、電源スイッチ４を押すことで本体１に電源が投入され、トリガーボタン５を押すと、レンズ部２を介して撮影が開始される。表示部３には記録中の画像が表示され、操作者は該画像を確認しながら、ズームレバー４ａなどを操作することで好適に撮影することが可能である。
【００１６】
次に蓋回転機構であるバッテリカバーまわりの構造を詳細に説明する。図２〜図５はバッテリカバーまわりの構造を説明するための斜視図と断面図であり、図５は図４の蓋回転機構についての拡大図を示す。
【００１７】
バッテリカバー１２は蓋本体部１２ｄと回転軸１２ａとが一体で形成されている。ボトムカバー８には、バッテリカバー１２の回転軸１２ａが載置される略Ｕ字形状（回転軸１２ａの軸方向に見るものとする）の軸受け部８ｂが形成されている。軸受け部８ｂに回転軸１２ａを載置し、補強部材（開閉バネ）１３の付勢部１３ａが回転軸１２ａと当接するように補強部材（開閉バネ）１３をボトムカバー８に固定する。これにより図５の状態において、バッテリカバー１２はボトムカバー８に対して回動可能に支持される。
【００１８】
次にバッテリカバー１２の開閉動作について、図２〜図７を用いて詳述する。図６は図２のＡ−Ａ線に沿う断面図である。ロックを掛けるためにバッテリカバー１２を本体１の前面側（Ｆｒ方向）にスライドさせた状態を示している。図７は図２のＢ−Ｂ線に沿う断面図を示し、ロック形状についての拡大図を示す。
【００１９】
蓋開状態では図５に示すように、回転軸１２ａは軸受け部８ｂのＲｒ方向の端面８ｂ１と、補強部材（開閉バネ）１３の付勢部１３ａに形成された円筒面１３ｃとの間に位置している。蓋閉状態では図６に示すように、回転軸１２ａは軸受け部８ｂのＦｒ方向の端面８ｂ２と、補強部材（開閉バネ）１３の付勢部１３ａに形成された円筒面１３ｃとの間に位置している。また、図７に示すバッテリカバー１２の爪部１２ｂと、ボトムカバー８の爪挿入部８ｃが係合している。この補強部材（開閉バネ）１３と爪部１２ｂの係合によって、バッテリカバー１３は開かないようにロックされている。
【００２０】
次に、図３の蓋開状態から、図７に示す爪部１２ｂと、爪挿入部８ｃが係合するように回転動作をさせて、Ｆｒ方向にバッテリカバー１２をスライドさせる。これにより回転軸１２ａが補強部材（開閉バネ）１３の円筒面１３ｃを押しのけながら乗越し移動するため、回転軸１２ａに反力が発生し、操作者に良好なクリック感を与える。スライドが完了すると前述したように回転軸１２ａは、軸受け部８ｂのＦｒ方向の端面８ｂ２と、補強部材（開閉バネ）１３の円筒面１３ｃとの間に位置し、補強部材（開閉バネ）１３と爪部１２ｂの係合によって、バッテリカバー１３はロックされる。
【００２１】
次にバッテリ９の着脱動作について、図８〜図９を用いて詳述する。図８は図２のＢ−Ｂ線に沿う断面図であり、バッテリカバー１２とバッテリ９それぞれにロックを掛けた状態を示している。
【００２２】
バッテリ９には、係合凸部９ｂと指掛け凸部９ｃが形成されている。ボトムカバー８には、バッテリ９の係合凸部９ｂに係合するバッテリ爪部８ｄが形成されており、弾性部材１３は図示しない両面テープにて、ボトムカバー８のバッテリ爪部８ｄが形成されている面と対向する面に接着されている。これにより、バッテリ収納状態では弾性部材１３によりバッテリ９はＦｒ方向に付勢され、バッテリ９の係合凸部９ｂはバッテリ爪部８ｄに係合する状態を保つことにより、係止されている。
【００２３】
図９はビデオカメラの蓋開状態の底面側からみた斜視図であり、バッテリ着脱動作を説明する斜視図である。本体１にバッテリ９が装着された状態を示している。バッテリカバー１２には、軸と軸に挟まれる端部を切欠いた切欠き部１２ｃが形成されている。上記蓋開状態において、使用者が指や爪を切欠き部１２ｃに挿入し、バッテリ９を図９に示すＲｒ方向へスライドさせることで、弾性部材１３による付勢は解除され、バッテリ９の係合凸部９ｂとバッテリ爪部８ｄの係合を外すことができる。次にＣｒ方向（離脱方向）へ持ち上げることで、バッテリ９をバッテリ収容部８ａから離脱させることができる。ここで、従来例、図１１に示すような切かき部１２ｃが存在しないバッテリカバーの場合、バッテリカバーと収納されたバッテリの間には指を挿入する空間が小さく、バッテリの着脱が困難である。また、操作性を向上させる為に、バッテリカバーと収納されたバッテリの間に指を挿入する空間となる凹部を設けてバッテリの着脱操作を行うためのスペースを作り出す必要がある。その際には、電子機器は大型化となる。
【００２４】
また、図２に示すビデオカメラの蓋閉状態においては、切かき部１２ｃとボトムカバー８の凸形状８ｅが合致する構成とすることで、貫通ネジ穴部１０ａとバッテリカバー１２を従来より近傍に配置することが可能となり、装置のＦｒ方向の小型化が実現される。
【００２５】
なお、本発明は上記従来の構成にのみ限定されるものではない。本発明をバッテリカバー以外の蓋に適用することや、例えばデジタルカメラや、携帯電話、携帯テレビ等のビデオカメラ以外の用途に適用することも可能である。
【符号の説明】
【００２６】
１  本体
２  レンズ部
３  表示部
４  電源スイッチ
４ａ  ズームスイッチ
５  トリガーボタン
６  Ｌカバー
７  Ｒカバー
８  ボトムカバー
８ａ  バッテリ収容部
８ｂ  軸受け部
８ｂ１  Ｒｒ方向の端面
８ｂ２  Ｆｒ方向の端面
８ｃ  爪挿入部
８ｄ  バッテリ爪部
８ｅ  凸形状
９  バッテリ
９ｂ  係合凸部
９ｃ  指掛け凸部
１０  取付部材
１０ａ  貫通ネジ穴部
１１  バッテリ端子
１２  バッテリカバー
１２ａ  回転軸
１２ｂ  爪部
１２ｃ  切かき部
１２ｄ  蓋本体部
１３  補強部材（開閉バネ）
１３ａ  付勢部
１３ｂ  補強部
１３ｃ  円筒面
１０１  電子機器
１０２  電源ジャックコネクタ
１０３  蓋
１１１  電子機器
１１２  バッテリ
１１３  バッテリ収容部
１１４  蓋
１１５  挿入部
【図１】
2015185395.tif 000003
【図２】
2015185395.tif 000004
【図３】
2015185395.tif 000005
【図４】
2015185395.tif 000006
【図５】
2015185395.tif 000007
【図６】
2015185395.tif 000008
【図７】
2015185395.tif 000009
【図８】
2015185395.tif 000010
【図９】
2015185395.tif 000011
【図１０】
2015185395.tif 000012
【図１１】
2015185395.tif 000013